(57)【要約】  地面（１３）を基準として実質的に垂直の向きで細長い物体（２６）を保管するための保管システム（１０）であって、支持構造（３０）、地面（１３）の上方で支持構造（３０）によって支持される第１の部材（１４）、および、第１の部材（１４）よりも高い地面（１３）の上方で支持構造（３０）によって支持される第２の部材（１２）を有するラック（１１）と、細長い物体（２６）を第１の部材（１２）に装着するために細長い物体（２６）および第１の部材（１４）の両方に同時に固定可能である第１の装着要素（２２）と、第１の装着要素（２２）および第２の部材（１２）の両方に同時に固定可能である第２の装着要素（２０）と、を有する。【選択図】図１
2018505112.tif 000002
【特許請求の範囲】
【請求項１】
地面を基準として実質的に垂直の向きで細長い物体を保管するための保管システムであって、
支持構造、前記地面の上方で前記支持構造によって支持される第１の部材、および、前記第１の部材よりも高い前記地面の上方で前記支持構造によって支持される第２の部材を有するラックと、
前記細長い物体を前記第１の部材に装着するために前記細長い物体および前記第１の部材に両方に同時に固定可能である第１の装着要素と、
前記第１の装着要素および前記第２の部材の両方に同時に固定可能である第２の装着要素と、
を備える、保管システム。
【請求項２】
前記第２の装着要素は、前記第１の装着要素に着脱自在に取り付け可能である細長いフレキシブル要素を含む、請求項１に記載の保管システム。
【請求項３】
前記細長いフレキシブル要素はチェーンを含む、請求項２に記載の保管システム。
【請求項４】
前記第２の装着要素は、前記第２の装着要素に対しておよび前記第１の部材に対して前記第１の装着要素が固定されている場合に前記細長いフレキシブル要素内の張力を調整するための張力調整装置を含む、請求項２または３に記載の保管システム。
【請求項５】
前記張力調整装置は、前記細長いフレキシブル要素が固定されるフレキシブル要素装着ブラケットと、前記フレキシブル要素装着ブラケットを前記第２の装着要素に固定する固定具と、を備え、前記フレキシブル要素装着ブラケットと前記第２の部材との間で距離を変えるために前記固定具を締着することにより前記細長い要素に張力が加えられる、請求項４に記載の保管システム。
【請求項６】
前記張力調整装置は、前記細長いフレキシブル要素に沿って設けられる可変長要素を含む、請求項４に記載の保管システム。
【請求項７】
前記第１の部材よりも低い前記地面の上方で前記支持構造によって支持される第３の部材と、前記細長い物体を前記第３の部材に装着するために前記細長い物体および前記第３の部材の両方に同時に固定可能である第３の装着要素と、をさらに備える、請求項１から６までのいずれか１項に記載の保管システム。
【請求項８】
前記第３の装着要素は、前記細長い物体を前記第３の部材に連結するためのフレキシブル連結要素を含む、請求項７に記載の保管システム。
【請求項９】
前記第３の部材は、前記フレキシブル連結要素が前記細長い物体を前記第３の部材に連結するときに、前記第３の部材に前記細長い物体を当接させるための第３の部材当接面を有する、請求項８に記載の保管システム。
【請求項１０】
前記第３の部材は、前記連結要素を第３の部材の中に挿入するための一対の離間されるスロットを画定する、請求項９に記載の保管システム。
【請求項１１】
前記第１の装着要素は、第１、第２および第３の部分を画定する装着ブラケットを有し、前記第１の部分が前記第１の部材および前記第２の装着要素に解放可能に取り付けられるように構成およびサイズ決定され、前記第３の部分が前記細長い物体に解放可能に取り付けられるように構成およびサイズ決定され、前記第２の部分が前記第１の部分と前記第３の部分との間に延在する、請求項１から１０までのいずれか１項に記載の保管システム。
【請求項１２】
前記第２の部分は、ホイストを前記第２の部分に固定するための揚送アパーチャを画定する、請求項１１に記載の保管システム。
【請求項１３】
前記第３の部分は、前記第３の部分を前記細長い物体に締着するためにそこを通して固定具を受け取るための少なくとも１つの締着アパーチャを画定する、請求項１１または１２に記載の保管システム。
【請求項１４】
前記第１の部分はアンカーアパーチャを画定し、前記第１の部材はアンカースロットを画定し、前記細長い物体を保管するときに前記アンカースロットおよび前記アンカーアパーチャは互いに位置合わせされることにより固定具を用いて前記装着ブラケットを前記第１の部材に締着することが可能となる、請求項１１から１３までのいずれか１項に記載の保管システム。
【請求項１５】
前記第１の部分はアンカースロットを画定し、前記第１の部材はアンカーアパーチャを画定し、前記細長い物体を保管するときに前記アンカースロットおよび前記アンカーアパーチャは互いに位置合わせされることにより固定具を用いて前記装着ブラケットを前記第１の部材に締着することが可能となる、請求項１１から１３までのいずれか１項に記載の保管システム。
【請求項１６】
前記第２および第３の部分は単一の第１のプレートによって一体に画定され、前記第１の部分は、前記第１のプレートに対して垂直に延在する第２のプレートによって画定される、請求項１１から１５までのいずれか１項に記載の保管システム。
【請求項１７】
前記支持構造は、前記第１および第２の部材を支持する実質的に垂直に延在する柱を有する、請求項１から１６までのいずれか１項に記載の保管システム。
【請求項１８】
前記第１および第２の部材は実質的に細長であり、水平に延在する、請求項１から１７までのいずれか１項に記載の保管システム。
【請求項１９】
前記第１の部材に実質的に隣接して延在するキャットウォークをさらに備える、請求項１から１８までのいずれか１項に記載の保管システム。
【請求項２０】
地面上で支持される保管システム・ビーム組立体であって、
複数の支持柱、前記地面の上方で前記支持柱により実質的に水平の支持される第１の部材、および、前記第１の部材よりも高い前記地面の上方で前記支持柱により実質的に水平に支持される第２の部材を有するラックと、
前記地面に対して実質的に垂直の向きで配置される複数の細長いビームと、
前記細長いビームのうちの１つおよび前記第１の部材に各々が着脱自在に取り付けられる複数の装着ブラケットと、
第２の部材に各々が固定され、前記装着ブラケットのうちの１つに各々が着脱自在に取り付けられる、複数の細長いフレキシブル要素と
を備える、
保管システム・ビーム組立体。
【請求項２１】
前記第１の部材より低い前記地面の上方で前記支持柱により実質的に水平に支持される第３の部材と、各々が前記細長いビームのそれぞれ１つを前記第３の部材に連結する複数のフレキシブル連結要素と、をさらに備える、請求項２０に記載の組立体。
【請求項２２】
前記細長いフレキシブル要素内の張力を選択的に調整するために各々が前記第２の部材と前記装着ブラケットのそれぞれ１つとの間にある複数の張力調整装置をさらに備える、請求項２０または２１に記載の組立体。
【発明の詳細な説明】
【技術分野】
【０００１】
[0001]本発明は概して保管システムに関し、より詳細には、細長い物体を保管するための保管システムおよび保管方法に関する。
【背景技術】
【０００２】
[0002]細長い物品または細長い物体のための保管ラックシステムは当技術分野で知られており、例えば、細長いＨ形鋼、山形鋼、Ｃチャンネル、および、方形または円形の管材料などの、比較的長くて重い多数の構造部材を保管、整理および陳列するのに有用である。
【０００３】
[0003]細長い物品のための一般的な従来技術の保管ラックシステムはサイズおよび複雑さが多様である可能性があり、これは、その上で細長い物品が水平方向に積み重ねられるような、フロア上に置かれる単純な一対の木製横断物（ｗｏｏｄｅｎ  ｔｒａｎｓｖｅｒｓｅ）から、多段式の水平方向または垂直方向の固定されるラッキング構造にまで、さらには、細長い物品を保管するための垂直方向において離間されて水平方向に摺動可能である引出しを備えるより複雑なラック構造にまで、及ぶ。重さのある細長い物品は一般にこれらの従来技術の保管ラックシステムに保管され、シングルフックまたはダブルフックの天井クレーンを使用してそこから回収される。
【０００４】
[0004]これらの従来技術のデバイスは、一般に細長い物品を保管するための保管ラックシステムを提供するが、以下の欠点のうちの１つまたは複数をも伴う。１つには、水平方向に配置されるパイルまたは垂直のスタック内に細長い物品を保管するそれらの方法は、インベントリ内で保管される各々の個別の物品の明瞭かつ簡潔な視界をもたらさない。また、細長い物品を保管するそれらの方法はやはり、一般に、各々の個別の物品への直接的な妨害のないアクセスを提供せず、それによりしばしば、パイルの中間または底部にある選択される物品に到達して回収する作業に時間を要することになる。さらには、細長い物品を取り扱うおよび保管するそれらの方法は、資材を取り扱う作業員（ｍａｔｅｒｉａｌ  ｈａｎｄｌｉｎｇ  ｐｅｒｓｏｎｎｅｌ）にとっての安全問題をしばしば引き起こし、さらには、保管される物品の外側表面を損傷することの高い危険性をもたらす。例えば、水平方向に配置されるＨ形鋼のパイルが誤って崩壊して横に広がることは珍しくない。保管される細長い物品を水平方向に配置するには、一般に、保管システムに入れたり出したりするために水平方向に配置される細長い物品を適切にかつ安全に取り扱うための比較的高価で扱いにくいダブルフッククレーンが必要となる。そうではなくシングルフックのクレーンが使用される場合、その取り付けポイントが水平荷重の平衡点（ｂａｌａｎｃｅ  ｐｏｉｎｔ）のほぼ上方に位置しなければならず、これもやはり、しばしば、工業的作業環境（ｉｎｄｕｓｔｒｉａｌ  ｗｏｒｋｉｎｇ  ｅｎｖｉｒｏｎｍｅｎｔ）における安全問題の原因となる。
【０００５】
[0005]これらの保管システムはまた、一般に、相当な大きさのフロアスペースを占有し、一般に、平均的な物品よりも比較的短い物品を保管するのに良好には適しない。その理由は、これらの物品は、同様の物品の水平方向のパイルの中間で保管される場合に隣接する細長い物品をアンバランスにするかまたは曲げるからである。平均的な物品よりも短いこれらの物品はしばしば再生利用プロセスに送られるが、再生利用プロセスが必ずしも最も環境に優しい解決策であるとは限らない。
【０００６】
[0006]いくつかの保管ラックシステムは水平方向に移動可能な引出しを備えるが、これらの水平方向に移動可能な引出しは、しばしば、製造することが複雑であり、高価である。
【０００７】
[0007]上記を考慮すると、改善された保管ラックシステムが当業界で必要とされる。
【発明の概要】
【発明が解決しようとする課題】
【０００８】
[0008]本発明の目的は、このような保管ラックシステムを提供することである。
【課題を解決するための手段】
【０００９】
[0009]広い態様では、本発明は、地面を基準として実質的に垂直の向きで細長い物体を保管するための保管システムを提供し、この保管システムは、支持構造、地面の上方で支持構造によって支持される第１の部材、および、第１の部材よりも高い地面の上方で支持構造によって支持される第２の部材を有するラックと、細長い物体を第１の部材に装着するために細長い物体および第１の部材の両方に同時に固定可能である第１の装着要素と、第１の装着要素および第２の部材の両方に同時に固定可能である第２の装着要素と、を備える。
【００１０】
[0010]本発明は保管システムをさらに提供することができ、第２の装着要素は、第１の装着要素に着脱自在に取り付け可能である細長いフレキシブル要素を含む。
[0011]本発明は保管システムをさらに提供することができ、細長いフレキシブル要素はチェーンを含む。
【００１１】
[0012]本発明は保管システムをさらに提供することができ、第２の装着要素は、第２の装着要素に対しておよび第１の部材に対して第１の装着要素が固定されている場合に細長いフレキシブル要素内の張力を調整するための張力調整装置を含む。
【００１２】
[0013]本発明は保管システムをさらに提供することができ、張力調整装置は、細長いフレキシブル要素が固定されるフレキシブル要素装着ブラケットと、フレキシブル要素装着ブラケットを第２の装着要素に固定する固定具と、を備え、フレキシブル要素装着ブラケットと第２の部材との間で距離を変えるために固定具を締着することにより細長い要素に張力が加えられる。
【００１３】
[0014]本発明は保管システムをさらに提供することができ、張力調整装置は、細長いフレキシブル要素に沿って設けられる可変長要素を含む。
[0015]本発明は保管システムをさらに提供することができ、この保管システムは、第１の部材よりも低い地面の上方で支持構造によって支持される第３の部材と、細長い物体を第３の部材に装着するために細長い物体および第３の部材の両方に同時に固定可能である第３の装着要素と、さらに備える。
【００１４】
[0016]本発明は保管システムをさらに提供することができ、第３の装着要素は、細長い物体を第３の部材に連結するためのフレキシブル連結要素を含む。
[0017]本発明は保管システムをさらに提供することができ、第３の部材は、フレキシブル連結要素が細長い物体を第３の部材に連結するときに、第３の部材に細長い物体を当接させるための第３の部材当接面を有する。
【００１５】
[0018]本発明は保管システムをさらに提供することができ、第３の部材は、連結要素を第３の部材の中に挿入するための一対の離間されるスロットを画定する。
[0019]本発明は保管システムをさらに提供することができ、第１の装着要素は、第１、第２および第３の部分を画定する装着ブラケットを有し、第１の部分は第１の部材および第２の装着要素に解放可能に取り付けられるように構成およびサイズ決定され、第３の部分は細長い物体に解放可能に取り付けられるように構成およびサイズ決定され、第２の部分は第１の部分と第３の部分との間に延在する。
【００１６】
[0020]本発明は保管システムをさらに提供することができ、第２の部分は、ホイストを第２の部分に固定するための揚送アパーチャを画定する。
[0021]本発明は保管システムをさらに提供することができ、第３の部分は、第３の部分を細長い物体に締着するためにそれを通して固定具を受け取るための少なくとも１つの締着アパーチャを画定する。
【００１７】
[0022]本発明は保管システムをさらに提供することができ、第１の部分はアンカーアパーチャを画定し、第１の部材はアンカースロットを画定し、細長い物体を保管するときにアンカースロットおよびアンカーアパーチャは互いに位置合わせされ、それにより固定具を用いて装着ブラケットを第１の部材に締着することが可能となる。
【００１８】
[0023]本発明は保管システムをさらに提供することができ、第１の部分はアンカースロットを画定し、第１の部材はアンカーアパーチャを画定し、細長い物体を保管するときにアンカースロットおよびアンカーアパーチャは互いに位置合わせされ、それにより固定具を用いて装着ブラケットを第１の部材に締着することが可能となる。
【００１９】
[0024]本発明は保管システムをさらに提供することができ、第２および第３の部分は単一の第１のプレートによって一体に画定され、第１の部分は、第１のプレートに対して垂直に延在する第２のプレートによって画定される。
【００２０】
[0025]本発明は保管システムをさらに提供することができ、支持構造は、第１および第２の部材を支持する実質的に垂直に延在する柱を有する。
[0026]本発明は保管システムをさらに提供することができ、第１および第２の部材は実質的に細長であり、水平に延在する。
【００２１】
[0027]本発明は、第１の部材に実質的に隣接して延在するキャットウォークをさらに備える保管システムをさらに提供することができる。
[0028]別の広い態様では、本発明は、地面上で支持される保管システム・ビーム組立体を提供し、この組立体は、複数の支持柱、地面の上方で支持柱により実質的に水平に支持される第１の部材、および、第１の部材よりも高い地面の上方で支持柱により実質的に水平に支持される第２の部材を有するラックと、地面に対して実質的に垂直の向きで配置される複数の細長いビームと、細長いビームのうちの１つおよび第１の部材に各々が着脱自在に取り付けられる複数の装着ブラケットと、第２の部材に各々が固定され、装着ブラケットのうちの１つに各々が着脱自在に取り付けられる、複数の細長いフレキシブル要素と、を備える。
【００２２】
[0029]本発明は、第１の部材より低い地面の上方で支持柱により実質的に水平に支持される第３の部材と、各々が細長いビームのそれぞれ１つを第３の部材に連結する複数のフレキシブル連結要素と、をさらに備える組立体をさらに提供することができる。
【００２３】
[0030]本発明は、細長いフレキシブル要素内の張力を選択的に調整するために各々が第２の部材と装着ブラケットのそれぞれ１つとの間にある複数の張力調整装置をさらに備える組立体をさらに提供することができる。
【００２４】
[0031]有利には、本発明は、インベントリ内に保管される各々の個別の細長い物体の明瞭かつ簡潔な視界を提供し得る保管システムおよび方法であり、それにより、インベントリ内の各々の個別の細長い物体に、迅速に、経済的に、および、安全に、アクセスするのを可能にし、それにより、従来の保管システムと比較して、保管作業および回収作業に付随する時間を大幅に短縮し、そのコストおよび安全に関する問題を大幅に低減し、また、実質的に直立の姿勢で細長い物体を取り扱って保管するというその方法より、保管作業および回収作業中に細長い物体を損傷するリスクが低減される。
【００２５】
[0032]加えて、いくつかの実施形態では、本発明は、資材を取り扱う作業員による怪我のリスクも低減するような、細長い物体を取り扱って保管するための比較的単純で確実である方法を提供し、相当な大きさのフロアスペースを節約することができ、また、非常に広範囲の長さの細長い物体を保管することができるというその能力により、通常であれば再生利用に送られるような比較的短い細長い物体の数を削減することが可能となり、したがって本発明は、従来の保管システムよりも環境に優しい。加えて、細長い物体を垂直に保管することにより、多くの異なる長さを有する物体が隣同士で容易に保管され得、それにより、例えば鉄骨梁製造の業界でのそのような多くの異なる長さを有する細長い物体を保管することが容易となり得る。
【００２６】
[0033]本発明は、複数の取り付けポイントを使用して細長い物体を保管ラックに解放可能に固定するシステムおよび方法をさらに提供し、それにより、細長い物体がラック構造から過ってまたは意図されずに解放されるのを防止するための追加的な完全処置が可能となり、また、保管ラックに適用されるその荷重構成により、保管システムの支持構造の安定性が向上する。いくつかの実施形態では、保管システムは、製造および組み立てを行うことが比較的単純で経済的である。
【００２７】
[0034]添付図面を参照して単に例として与えられる本発明のいくつかの実施形態の以下の非限定的な説明を読むことにより、本発明の他の目的、利点および特徴がより明らかとなる。
【図面の簡単な説明】
【００２８】
【図１】[0035]本発明の実施形態による保管システムを示す斜視図である。
【図２】[0036]細長いＨ形鋼部材の形態の複数の細長い要素がその上に垂直に固着されている、図１の保管システムを示す分裂した正面図である。
【図３】[0037]図２の細長いＨ形鋼部材のうちの１つをその上側端部で保管システムの部材に固着することを示す斜視図である。
【図４】[0038]図２の細長いＨ形鋼部材のうちの１つをその下側端部で保管システムの別の部材に取り付けることを示す斜視図である。
【図５】[0039]図１から４の保管システムの装着ブラケット部分を示す斜視図である。
【図６】[0040]代替のＨ形鋼部材の上側端部に締着される図５の装着ブラケットを示す斜視図である。
【図７】[0041]図３に示される部材に装着される図６の装着ブラケットおよびＨ形鋼部材を示す側面図である。
【図８】[0042]図６のＨ形鋼を図１のラック保管システムに取り付けることにおける第１のステップを示す部分斜視図である。
【図９】[0043]図６のＨ形鋼を図１のラック保管システムに取り付けることにおける第２のステップを示す部分側面図である。
【図１０】[0044]図６のＨ形鋼を図１のラック保管システムに取り付けることにおける第３のステップを示す部分側面図である。
【図１１】[0045]図６のＨ形鋼を図１のラック保管システムに取り付けることにおける第４のステップを示す部分側面図である。
【図１２】[0046]図６のＨ形鋼を図１のラック保管システムに取り付けることにおける第５のステップを示す部分側面図である。
【図１３】[0047]ホイストを装着ブラケットに取り付ける代替の手法を示す側面図である。
【図１４】[0048]図１の保管システムで使用可能である張力調整装置を示す側面図である。
【図１５】[0049]図１の保管システムで使用可能である別の張力調整装置を示す側面図である。
【図１６】[0050]図１の保管システムで使用可能である別の張力調整装置を示す側面図である。
【発明を実施するための形態】
【００２９】
[0051]「実質的に」という用語は、本書を通して、そのようにして定量化される用語の変動量を示すのに使用される。これらの変動量は、本発明が機能する手法に実質的に影響しないような変動量であり、また、例えば、製造プロセスの不確かさを原因とするか、または、本発明に有意な変化を与えないような公称値または理想の形状からの小さい偏差を原因としてよい変動量である。これらの変動量は当業者の視点から解釈されるものとする。
【００３０】
[0052]図１および２は、地面１３を基準として実質的に垂直な向きで１つまたは複数の細長い物体２６を保管するための本発明による保管システム１０の実施形態を示す。保管システム１０は、概して、ラック１１と、第１の装着要素と、第２の装着要素とを有する。ラック１１は、通常、支持構造３０と、地面１３の上方で支持構造３０によって支持される第１の部材と、第１の部材１４より高い地面１３の上方で支持構造３０によって支持される第２の部材と、を有する。第１の装着要素は、細長い物体２６を第１の部材に装着するために、細長い物体２６および第１の部材の両方に同時に固定可能であり、第２の装着要素は、第１の装着要素および第２の部材の両方に同時に固定可能である。
【００３１】
[0053]この実施形態では、第１および第２の部材はそれぞれ上側支持部材１４および補助支持部材１２によって示される。いくつかの実施形態ではラック１１は上側支持部材１４および補助支持部材１２の各々１つのみを有するが、ラック１１は、通常、対として設けられる、複数の補助支持部材１２および複数の上側支持部材１４を有する。
【００３２】
[0054]また、通常、ラック１１は、第１の部材よりも低い地面１３の上方で支持構造３０によって支持される第３の部材と、細長い物体を第３の部材に装着するために細長い物体２６および第３の部材に同時に固定可能である第３の装着要素と、を有する。この実施形態では、第３の部材は下側支持部材１６によって示される。図２に見られるように、単一の下側支持部材１６の上方で垂直に離間される複数の対の補助支持部材１２および上側支持部材１４が存在してよい。
【００３３】
[0055]通常は複数である少なくとも１つの水平方向に離間される垂直方向保管位置１８は、補助支持部材１２、上側支持部材１４および下側支持部材１６に沿って画定され得、これらを垂直方向で取り囲む。垂直保管位置１８の各々の１つに、それぞれ装着ブラケット２２および補助支持体２０の形態である第１のおよび第２の装着要素のうちの１つが設けられる。存在する場合、第３の装着要素は、細長い物体２６を下側支持部材１６に連結するための例えばフレキシブル連結要素２４の形態をとることができる。装着ブラケット２２、補助支持体２０およびフレキシブル連結要素２４は、指定される垂直保管位置１８内で上側支持部材１４および下側支持部材１６に当接させる状態で実質的に垂直の姿勢で細長い物体２６を配置してしっかりと固定するのに、協働的に使用される。
【００３４】
[0056]通常、補助支持部材１２、上側支持部材１４および下側支持部材１６は、例えば肉厚の金属などの適する剛体材料で作られる実質的に細長い水平に延在するビームである。しかし、他の実施形態では、細長い物体を取り付けるのを可能にする任意の第１、第２および第３の部材が本発明の範囲内にある。
【００３５】
[0057]水平の、補助支持部材１２、上側支持部材１４および下側支持部材１６は、例えば溶接プロセスまたはねじ切りされた固定部およびナットの組み合わせなどの任意適切な手段を使用して、複数の実質的に直立の柱６０などを有する支持構造３０に堅固に取り付けられるように適合され得る。別の実施形態では、上側支持部材１４および下側支持部材１６が支持構造３０から一体的に延在する。
【００３６】
[0058]いくつかの実施形態では、補助支持部材１２は、その下面部分に沿って長手方向に離間される複数の適するアタッチメント３２を有し、これらは、１つの補助支持体２０の上側端部に設けられ、各々が垂直保管位置１８のうちの１つに位置合わせされる。
【００３７】
[0059]次に図９をより具体的に参照すると、補助支持体２０は実質的に細長いリンク要素３４をさらに有し、その第１の端部はアタッチメント３２のうちの１つに枢動可能に取り付けられ、その第２の端部は、装着ブラケット２２への着脱自在の取り付けを可能にする従来のフック３６または同様の要素に取り付けられる。細長いリンク要素３４は、例えば、金属リンクチェーン（示されるような）、金属ケーブルリンク、または、平坦なナイロンストラップなどの、適切な強度を有する細長いフレキシブル要素によって示され得る。他の実施形態では、細長いリンク要素３４は、各端部に適切なアイレット手段を備える細長い棒または平坦な棒などの、より高い剛性を有する細長いリンク要素によっても示され得る。
【００３８】
[0060]いくつかの実施形態では、図１４に示されるように、代替の補助支持体１３０は、補助支持部材１２および装着ブラケット２２（図１４には図示されない）に対して細長いリンク要素３４が固定されている場合に細長いリンク要素３４内の張力を調整するための張力調整装置１０６をさらに有することができる。張力調整装置１０６はアタッチメント３２に取って代わるフレキシブル要素装着ブラケット１１２を有し、細長いリンク要素３４は、例えば、Ｕリンクおよびボルトの組み合わせ９８などの適切な結合手段を介してフレキシブル要素装着ブラケット１１２に固定され、いくつかの実施形態ではボルトはロックピン９９により定位置で固定される。１つまたは複数の固定具１０８はフレキシブル要素装着ブラケット１１２を細長いリンク要素３４に固定する。フレキシブル要素装着ブラケット１１２と補助支持部材１２との間の距離を変化させるために、固定具１０８を締着することにより細長いリンク要素３４に張力が加えられる。
【００３９】
[0061]例えば、フレキシブル要素装着ブラケット１１２は、互いに垂直である第１のプレート１１４および第２のプレート１１６を有する。第１のプレートは、細長いリンク要素３４を第１のプレートに取り付けるためのアパーチャ１１８を画定する。第２のプレートは補助支持部材１２の下側表面に実質的に平行であり、第２のプレート内で固定部１０８を受けるための固定具受けアパーチャ１２０を画定する、固定具受けアパーチャ１２０は、補助支持部材１２を通って延在する対応する固定具受けアパーチャ１２２に位置合わせされる。張力調整装置１０６は、図１４の実施形態では４つ存在する、１つまたは複数のねじ切りされた固定具１０８とナット１０９のペアを有する。各固定具１０８はフレキシブル要素装着ブラケット１１２を通りさらには補助支持部材１２の適する形で成形された部分を通って延在する。ナット１０９は例えば溶接によりフレキシブル要素装着ブラケット１１２に例えば固定される。ねじ切りされた固定具１０８をナット１０９に対してねじ込むことによりまたはねじを緩めることにより、それぞれ、細長いリンク要素３４に張力が加えられ得、また、細長いリンク要素３４から張力が解放され得る。いくつかの実施形態では、ナット１０９から固定具１０８が意図されずに完全に取り外されるのを防止するために、ロックピン９９が固定具１０８を通して挿入される。
【００４０】
[0062]他の実施形態では、図１５に見られる張力調整装置１４０は、細長いリンク要素３４に沿うように設けられて細長いリンク要素３４を２つのセクションに分離する可変長要素１４２を有し、これらの２つのセクションは多様な距離で離間され得る。可変長要素１４２はボディ１４４を有し、ループ１４８で終端する長手方向の反対側にあるねじ切りされた棒１４６はボディ１４４を通してねじ込まれ、棒１４６は細長いリンク要素３４に取り付けられる。
【００４１】
[0063]他の実施形態では、図１６に見られる張力調整装置１５０は細長いリンク要素３４とフック１５２との間に挿入され、ここではフック１５２は安全ラッチ１５５を有するものとして示される。張力調整装置１５０はボディ１５８に固定されたナット１５６を通して挿入されるねじ切りされた固定具１５４をやはり使用し、ねじ切りされた固定具１５４はやはりボディ１５８を通って延在し、張力調整装置１０６および１４０の長さを変更する場合と同様の手法で張力調整装置１５０の長さを変更する。
【００４２】
[0064]存在する場合、張力調整装置は、張力の解放時にフック３６および１５２を装着ブラケット２２に容易に取り付けることおよびフック３６および１５２を装着ブラケット２２から容易に外すことを可能にする。張力が加えられるとき、保管システム１０の安定性が補助支持体２０内の張力により大幅に向上する。この場合、保管システム１０に対しての、風圧、小さい地震または偶発的な衝撃などの、小さい外乱により、保管システム１０全体を最終的に崩壊させる可能性がある、振幅を増大させる壊滅的な振動が生じる可能性が低くなる。
【００４３】
[0065]図３は、最上部で保管される細長い物体２６の方を向く長手方向当接面４０を画定する水平に配置される細長い部材によって概して示される上側支持部材１４の実施例を最も良好に示す。長手方向当接面４０の上側部分は、通常は複数である少なくとも１つの水平方向に離間される対の、隣接するアンカーホールつまり垂直の向きのアンカースロットホール４４と、概略円形のアンカーホール４６とを装備する上方に延在する長手方向フランジ４２によって概して画定される。対のアンカーホール４４、４６の相対的な配置は、アンカースロットホール４４の上側部分を隣接する円形のアンカーホール４６に実質的に水平方向において位置合わせするような、配置である。後でさらに説明するように、対のアンカーホール４４、４６は、後でさらに説明される装着ブラケット２２内に設けられる対応するアンカーホールに位置合わせされるように適切に配置される。
【００４４】
[0066]このようにフランジ４２に沿って長手方向に配置されるこの数のおよびこの位置の対のアンカーホール４４および４６は、好適には、その数および位置は、上述の補助支持部材１２の下側から下方に延在する補助支持体２０に垂直方向において対応する。
【００４５】
[0067]いくつかの実施形態では、例えば横方向に配置されるプレート部材４８などの複数の補強要素がフランジ４２の内部表面部分を上側支持部材１４の頂面部分に接合し、したがって、それらの間に相対的に直角の構成を確保する。補強プレート部材４８は、例えば、１つの対内の隣接するアンカーホール４４、４６の間の概略中間位置の定位置で横方向に溶接され、それにより、プレート部材４８の補強特性を最大にし、補強特性は、各垂直保管位置１８内で水平方向において中央にある場合に最も効率が高い。
【００４６】
[0068]図３は斜視断面図として上側支持部材１４の実施例を示しており、この部材は一対の重ねて配置されるＨ形鋼部材５０によって概して示されており、その頂部の上側長手方向部分は下向きに開いているＣチャンネル部材５２によって覆われる。さらに、Ｃチャンネル５２は、その頂面５４の縁部分は細長い山形鋼部材５６で覆われる。Ｃチャンネル部材５２および山形鋼部材５６のこのようにして位置合わせされるそれぞれの側面部分５８および５９は、協働的に、実質的に平坦な長手方向当接面４０を形成する。
【００４７】
[0069]さらに、重ねて配置されるＨビーム５０、Ｃチャンネル部材５２および山形鋼部材５６は溶接プロセスを使用して互いに堅固に取り付けられ、例えば、それにより、費用効率の高い標準的な構造部材を有利に統合することにより高い剛体特性を提供するような支持部材を形成する。
【００４８】
[0070]同程度のまたはより優れた支持特性を提供するような、上側支持部材１４の任意の他の等価の構造組立体が使用されてもよいことを理解されたい。
[0071]さらに、通常、上述の補助支持部材１２および上側支持部材１４は、保管システム１０の設計の対象である通常であれば複数である少なくとも１つの細長い物体２６の重量を個別に支持することができる、ことを特徴とするような適切な剛体の細長い部材によって示されることに留意されたい。例えば、安全処置として、支持構造３０の２つの隣接する直立の柱６０の間に配置される上側支持部材１４の水平部分は、所定の数の細長い物体２６の重量を支持するのに十分に高い剛性を有することができ、各細長い物体は保管システム１０と同程度の最大重量および最大長さを有する。所定の数の細長い物体２６は、上側支持部材１４の当該の水平部分に沿うように設けられる垂直方向保管位置１８の数に一致してよい。
【００４９】
[0072]いくつかの実施形態では、図７に示されるように、保管システム１０の垂直保管位置１８の反対側に、上側支持部材１４の側方部分に沿って長手方向に配置される適切なサイズおよび配置のキャットウォーク６２が設けられる。キャットウォーク６２は当業界の適用可能な作業員安全処置に適合することができ、保管システム１０の垂直保管位置１８内で細長い物体２６を配置することならびに固着することおよび固着を解放することにおいて天井クレーンのオペレータを補助するために、資材を取り扱う作業員によって使用される。安全のために、キャットウォーク６２は、例えば、チェッカープレートまたは金属グリッドなどのアンチスリップまたはアンチスキッドの表面を提供するフロア構造によって示される。キャットウォーク６２へのアクセスは、はしご、階段またはエレベータ（図示せず）などの、任意適切な従来の手段によって提供され得る。
【００５０】
[0073]図１、２および４は下側支持部材１６を最も良好に示す。例えば図４で見られるように、上側支持部材１４と同様に、下側支持部材１６は、フレキシブル連結要素２４により細長い物体２６を下側支持部材１６に連結するときに細長い物体２６を下側支持部材１６に当接するための長手方向当接面６４を画定する水平に配置される細長い部材によって概して示される。いくつかの実施形態では、下側支持部材１６が省かれること、および、その場合に細長い部材２６の下側端部が任意適切な手法で支持されること、に留意されたい。
【００５１】
[0074]長手方向当接面６４の上側部分は、フランジ６６の上側縁部から下方に延在する通常は複数である少なくとも１つの対の隣接する細長いオープンスロット６８を装備する上方に延在する長手方向フランジ６６によって概して画定される。このようにフランジ６６に沿って長手方向に配置される、この数のおよびこの位置の対のオープンスロット６８は、通常、その数および位置は、上述の上側支持部材１４のフランジ４２に沿って配置されるアンカーホール４４および４６に垂直方向において対応する。１つの対内の２つのオープンスロット６８の間の最小水平方向距離は、通常、対応する垂直保管位置１８で保管されることになる意図される細長い物体２６の最大横幅をわずかに超える。オープンスロット６８は、後でさらに説明されるように、フレキシブル連結要素２４の概略平坦な断面部分を、自由に摺動可能である形で、その中で受けるように、適切にサイズ決定および成形される。
【００５２】
[0075]図４に示されるように、下側支持部材１６は、Ｈ形鋼部材５０を１つのみ有することができることおよび対のアンカーホール４４、４６が対のオープンスロット６８に置き換えられることを除いて、上述の上側支持部材１４に非常に類似する構造組立体を示す。上側支持部材１４と同様に、同程度のまたはより優れた支持特性を提供するような、下側支持部材１６の任意の他の等価の構造組立体が使用されてもよいことを理解されたい。さらに、上側支持部材１４と同様に、下側支持部材１６の垂直保管位置１８の反対側に、下側支持部材１６の側方部分に沿って適切に配置されるキャットウォークが設けられ得る。
【００５３】
[0076]補助支持部材１２および上側支持部材１４から構成される複数の平行に配置される対の水平支持部材は単一の下側部材１６の上方の適切な位置で垂直に離間され得、それにより、図２に示されるように、多様な長さの細長い物体２６を受け入れるのを可能にする。逆の構成（図示せず）も可能であることに留意されたい。逆の構成では、補助支持部材１２および上側支持部材１４から構成される単一の対の下方の適切な位置で垂直に離間される複数の平行に配置される下側支持部材１６も、多様な長さの細長い物体２６を受け入れるのを可能にし得る。
【００５４】
[0077]任意選択で、適切にサイズ決定されるゴムパッドなどの従来の緩衝要素（図示せず）は、上側支持部材１４および下側支持部材１６のそれぞれの長手方向当接面４０および６４に締着または接着され得、それにより、誤っての保管システム１０との衝突時に細長い物体２６のそれらの外側表面が損傷することから保護される。
【００５５】
[0078]図３および５は装着ブラケット２２の一実施形態を最も良好に示す。図５を参照すると、この装着ブラケット２２は、第１の部分８０、第２の部分８２および第３の部分８４を有するものとして概して画定される一部片の要素によって示されており、ここでは第２の部分８２は第１の部分８０と第３の部分８４との間に延在する。第２の部分８２および第３の部分８４は、例えば、第１の部分８０を示す第２のプレートの中間部分から垂直に延在する単一のプレートによって示される。
【００５６】
[0079]第１の部分８０は、保管システム１０内で、第１の部分８０と上側支持部材１４との間のねじ切りされた固定具およびナットの組み合わせ８６と、第１の部分８０と補助支持部材１２（図１に最も良好に示される）との間の補助支持体２０と、を同時に介して、解放可能に取り付けられるように構成およびサイズ決定される。したがって、円形のアンカーホール８７および垂直の向きのアンカースロットホール８８は、垂直に延在する第２の部分８２の両側に設けられる。アンカースロットホール８８の長さは、上側支持部材１４のフランジ４２を通るように設けられるアンカースロットホール４４の長さに実質的に等しい。対のアンカーホール８７および８８の間の相対的な配置は、円形のアンカーホール８７をアンカースロットホール８８の底部分に実質的に水平方向において位置合わせするような、配置である。
【００５７】
[0080]さらに、アンカーホール８７および８８の配置は、第１の部分８０の外側表面９０を上側支持部材１４の長手方向当接面４０に沿って垂直保管位置１８に対して当接させる場合に、上側支持部材１４のフランジ４２を通る対応するアンカースロットホール４４によって円形のアンカーホール８７を取り囲み、一方で、装着ブラケット２２の垂直方向のアンカースロットホール８８により、フランジ４２を通る対応する円形のアンカーホール４６を取り囲むようになる、配置である
[0081]対応する対の円形およびスロットのアンカーホール４４、４６および８７、８８のそれぞれをこのように特別に反対側に配置することにより、固定の上側支持部材１４を基準として装着ブラケット２２を垂直方向に移動させることが可能となる。後で説明する保管システムの使用方法１０の説明により、この相対的な垂直方向の移動の目的を明示する。
【００５８】
[0082]第１の部分８０はやはり補助支持体２０に解放可能に取り付けられるように構成およびサイズ決定される。そのために、例えば、フックホール９２は第１の部分８０の上側端部の近位側に設けられ、それにより、図１０および１１で最も良好に例示されるように、補助支持体２０のフック３６をその中に係合させることが可能となる。
【００５９】
[0083]第１の部分８０と第３の部分８４との間の中間位置を概して示すことができる第２の部分８２は、天井クレーン１１５のホイストケーブル９４の遠位端など（図８よび９に示される）の適切なホイスト手段に対して解放可能にフックで留められるかまたは他の形で取り付けられるように適合される。保管システム１０までのまたは保管システム１０からの、装着ブラケット２２を装備する細長い物体２６の一般的な操作および移送のために、従来の単一のフックホイスト手段が使用され得る。第２の部分８２は、例えば、Ｕリンクおよびボルトの組み合わせ９８などの、適切な結合手段を介してホイストケーブル９４の遠位端を装着ブラケット２２に結合するために、第２の部分８２の上側縁部に沿うように水平方向に例えば分布される１つまたは複数の揚送アパーチャ９６を装備し、図１３に示されるように、ボルトがナットまたはロックピン９９によって固定される。図８および９を参照すると、第２の部分８２の上側縁部に沿わせて揚送アパーチャ９６を水平に分布させることにより、細長い物体２６の垂直方向の重心（ｕｐｒｉｇｈｔ  ｃｅｎｔｅｒ  ｏｆ  ｇｒａｖｉｔｙ）に最も近い位置にホイストケーブル９４に結合することが可能となる。
【００６０】
[0084]図５を参照すると、第３の部分８４は、第３の部分８４を通って延在する選択される数の締着アパーチャを１００および１０２を介して細長い物体２６の上側端部に解放可能に締着されるように適合される、第２の部分８２を基準として下方に延在する部分を画定する。締着アパーチャ１００は互いに水平方向に離間され、対して、締着アパーチャ１０２は互いに垂直方向に離間される。締着アパーチャ１００および１０２は、商用および工業建設の業界で使用される鉄骨梁内に設けられる例えば標準的なアパーチャなどの、細長い物体２６内に設けられる対応するアパーチャに位置合わせされるように配置およびサイズ決定され得る。
【００６１】
[0085]より具体的には、いくつかの実施形態では、第３の部分８４は、例えば、Ｈ形鋼または細長い鉄製の平坦な棒などの、中央で軸方向に延在する平坦部分１０４を有する細長い物体２６の端部に締着されるように適切に成形およびサイズ決定される。例えば、水平に配置される締着アパーチャ１００は、図３に示されるように比較的広い平坦部分１０４を有するＨ形鋼部材に装着ブラケット２２を締着するのに使用され得、一方で、垂直に配置される締着アパーチャ１０２は、図６および７に示されるように比較的狭い平坦部分１０４を有するＨ形鋼部材に装着ブラケット２２を締着するのに使用され得る。
【００６２】
[0086]Ｈ形鋼の中央部分などの中央を延在する平坦部分１０４を有する細長い物体２６に締着するように適合されるものとして第３の部分８４を説明したが、第３の部分８４は、異なる形状の断面を有する細長い物体２６に締着されるように適切に成形およびサイズ決定されてもよいことを理解されたい。例えば、第３の部分８４は、方形または円形の中空断面を有する細長い物体の遠位端にそれぞれ挿入されるようにおよび締着されるように適合される方形または円形の断面を有することもできる（図示せず）。もちろん、実質的に中央でバランスをとる形で細長い物体２６の対応するように成形される端部に対して締着されるのを容易にするための、例えば三角形、六角形および八角形などの、第３の部分８４の他の断面構成も可能である。
【００６３】
[0087]さらに、保管システム１０内で保管される細長い物体２６は、例えば、液体または乾燥粒状材料を保管するための細長い円筒容器などの細長い容器を示すものでもあってよいか、あるいは、適合するサイズの細長い物体を保管するための細長くて比較的狭いシェルフラックを示すものであってもよいことに留意されたい。
【００６４】
[0088]これまで一部片の要素として装着ブラケット２２を説明してきたが、装着ブラケット２２は、ねじ切りされた固定具または溶接プロセスなどの任意適切な手段を使用して互いに堅固に締着される適切な要素の等価の組立体によって示されてもよいことを理解されたい。
【００６５】
[0089]補助支持体２０は、図面に示されるＨ形鋼などの細長い物体２６を補助支持体２０を介して単に吊り下げる場合に装着ブラケット２２のアンカーホール８７、８８を上側支持部材１４の対応するアンカーホール４４、４６に実質的に位置合わせすることになるような、適切な長さであることに留意されたい。
【００６６】
[0090]図４で最も良好に示されるように、フレキシブル連結要素２４の実施例は、概して、フレキシブルベルト１１０およびバックル１１３の組み合わせからなる。フレキシブルベルト要素１１０は、好適には、例えば、織物ナイロン、天然線維または皮などの、十分な強度の任意適切なフレキシブル材料で作られ得る実質的に細長い平坦な要素によって示される。バックル１１３は、例えば、錆止め処理を施される金属などの、適切な剛体の錆止め材料で作られる。
【００６７】
[0091]したがって、複数の取り付けポイントを使用して細長い物体２６を保管システム１０に解放可能に固定するシステムおよび方法は、細長い物体２６がラック構造から誤ってまたは意図されずに解放されるのを防止するための実質的にフェイルセーフの安全処置を実現する。
【００６８】
[0092]保管システムの技術分野の当業者には容易に明らかとなるであろうが、本発明の保管システム１０の使用方法は以下のようなものである。例えば、細長いＨ形鋼部材などの、細長い物体２６を、保管システム１０内の所望の保管位置に装着するために、装着ブラケット２２は、最初に、適切なサイズのねじ切りされた固定具およびナットの組み合わせ８６を使用して細長い物体２６の端部で締着される。まだ設けられてない場合、装着ブラケット２２を細長い物体２６に締着するのを可能にするために、その遠位端の近位側で、細長い物体の一部分を通るように適切なアパーチャを穿孔することが必要である可能性がある。
【００６９】
[0093]次いで、図８に示されるように、天井クレーン１１５などからのホイストケーブル９４の端部は、例えば、Ｕリンクおよびボルトの組み合わせ９８を使用して装着ブラケット２２に結合される。このようにして天井クレーン１１５に結合された細長いＨ形鋼２６は実質的に直立の姿勢で地面から持ち上げられ、保管システム１０内の所望の垂直保管位置１８の近位側まで送られ、その結果、図９に示されるように、装着ブラケット２２の第１の部分８０の外側表面９０は上側支持部材１４の長手方向当接面４０に対向するようになる。
【００７０】
[0094]次いで、補助支持体２０のフック３６は装着ブラケット２２のフックホール９２の中に係合され、次いで装着ブラケット２２および細長い物体２６の組立体が下げられ、最終的に図１０に示されるように補助支持体２０を介して実質的に吊り下げられるようになる。このようにして、装着ブラケット２２および細長い物体２６の組立体が固定されて補助支持体２０を介して自由に吊り下げられることで、上側支持部材１４および装着ブラケット２２のそれぞれの、対応する対のアンカーホール４４および４６ならびに８７および８８の重力により自然に位置合わせすることが可能となる。垂直の向きのアンカースロットホール４４および８８は、固定の上側支持体１４と、装着ブラケット２２および細長い物体２６の組立体との間の垂直方向の距離をわずかに変化させるのを可能にする。次いで、一対のねじ切りされた固定部およびナットの組み合わせ８６がそこを通るように挿入され得、図１１に示されるように定位置できつく締着される。
【００７１】
[0095]次いで、フレキシブル連結要素２４は一対のオープンスロット６８を通して係合され得、細長い物体２６の円周の一部分の周りに連結され得、その結果、図１２に示されるように、細長い物体２６は下側支持部材１６に対して堅固に当接される。最後に、ホイストケーブルが緩められ、Ｕリンク９８が取り外される。このようにして、細長い物体２６は定位置で堅固に保持され、その重量が補助支持部材１２および上側支持部材１４を介するように分布される。
【００７２】
[0096]保管システム１０内のその垂直保管位置１８から上で言及したＨ形鋼などの細長い物体２６を取り外す場合、上述の一連の作業が逆の順序で実行され得る。
[0097]代替的実施形態（図示せず）では、追加の対の隣接する細長いオープンスロットは、保管システム１０の各上側支持部材１４のフランジ５９の上側縁部から下方に延在する。１つの対内の各オープンスロットの間の距離は、上側支持部材１４のフランジ５９を通るように設けられるアンカースロットホール４４およびアンカーホール４６によって形成される対の間の距離より相対的に広いことから、１つの対内の各オープンスロットがその各側上で等距離に設けられ得る。したがって、複数の垂直に離間される上側支持部材１４の各フランジ５９に沿うように設けられる追加の対のオープンスロットにより、共通の垂直保管位置１８内で２つ以上の比較的短い細長い物体２６を互いの上で保管することが可能となる。この実施形態は、保管システム１０内の保管スペースの使用を最適化するのを可能にする。
【００７３】
[0098]変形形態では、提案される保管システム１０は、保護壁を形成するように横方向において互いに当接される細長い物体と共に使用され得、それにより、例えば、ダイナマイトまたは他の爆発物によって引き起こされる爆発から保護する。この場合、細長い物体はコンクリートまたは他の適切な材料で作られてよい。
【００７４】
[0099]上記では本発明の例示の実施形態により本発明を説明してきたが、本発明の新規の教示および利点から実質的に逸脱することなく例示の実施形態で多くの修正が可能であることが容易に認識されよう。したがって、特許請求の範囲の範囲は例示の実施形態によって限定されるべきではなく、全体として本記述に一致する最も広い解釈が与えられるべきである。したがって、本発明は、添付の特許請求の範囲で定義される本発明の精神および性質から逸脱することなく修正され得る。
【図１】
2018505112.tif 000003
【図２】
2018505112.tif 000004
【図３】
2018505112.tif 000005
【図４】
2018505112.tif 000006
【図５】
2018505112.tif 000007
【図６】
2018505112.tif 000008
【図７】
2018505112.tif 000009
【図８】
2018505112.tif 000010
【図９】
2018505112.tif 000011
【図１０】
2018505112.tif 000012
【図１１】
2018505112.tif 000013
【図１２】
2018505112.tif 000014
【図１３】
2018505112.tif 000015
【図１４】
2018505112.tif 000016
【図１５】
2018505112.tif 000017
【図１６】
2018505112.tif 000018
【国際調査報告】
2018505112.tif 000019
2018505112.tif 000020